(57)【要約】【課題】未ファイナライズディスクを再生する際の再生開始までの時間を大幅に短縮する。【解決手段】未ファイナライズディスク１から、所定のディスク情報を取得するＰＣ（パーソナルコンピュータ）１００と、ＰＣ１００が取得したディスク情報を記憶するＵＳＢメモリ５０と、ＵＳＢメモリ５０が接続されるインターフェイス２５を備えたＤＶＤプレーヤ２００とから構成される。ＤＶＤプレーヤ２００は、ＵＳＢメモリ５０からディスク１のディスク情報を取得し、ディスク１が装填された場合に、当該ディスクからディスク情報を読み取る処理を省略して、ＵＳＢメモリ５０から取得したディスク情報に基づいてディスクの再生を行う。【選択図】図１
2008310873.tif 000002
【特許請求の範囲】
【請求項１】
ファイナライズ処理が完了していない未ファイナライズディスクから、所定のディスク情報を取得するディスク情報取得手段と、
前記ディスク情報取得手段が取得したディスク情報を記憶する記憶媒体と、
前記記憶媒体が接続されるインターフェイスを備えたディスク再生装置とから構成され、
前記ディスク再生装置は、前記インターフェイスに接続された前記記憶媒体から前記ディスク情報を取得し、前記未ファイナライズディスクが装填された場合に、当該ディスクから前記ディスク情報を読み取る処理を省略して、前記記憶媒体から取得したディスク情報に基づいて、前記未ファイナライズディスクの再生を行うことを特徴とするディスク再生システム。
【請求項２】
請求項１に記載のディスク再生システムにおいて、
前記ディスク再生装置は、前記記憶媒体からディスク情報を取得すると、未ファイナライズディスクを再生するための特殊モードで再生準備処理を行うことを特徴とするディスク再生システム。
【請求項３】
請求項１に記載のディスク再生システムにおいて、
前記ディスク情報は、ディスクの種類、ディスクのサイズ、トラック情報、およびセッション情報を含むことを特徴とするディスク再生システム。
【請求項４】
請求項１に記載のディスク再生システムにおいて、
前記ディスク情報取得手段は、ディスクドライブが内蔵または外付されたパーソナルコンピュータであることを特徴とするディスク再生システム。
【請求項５】
請求項４に記載のディスク再生システムにおいて、
前記パーソナルコンピュータは、取得したディスク情報をテキスト形式のファイルとして出力することを特徴とするディスク再生システム。
【請求項６】
光ディスクに記録された情報を読み取って再生するディスク再生装置において、
ファイナライズ処理が完了していない未ファイナライズディスクのディスク情報が記憶されている記憶媒体が接続されるインターフェイスを備え、
前記インターフェイスに接続された前記記憶媒体から前記ディスク情報を取得し、前記未ファイナライズディスクが装填された場合に、当該ディスクから前記ディスク情報を読み取る処理を省略して、前記記憶媒体から取得したディスク情報に基づいて、前記未ファイナライズディスクの再生を行うことを特徴とするディスク再生装置。
【発明の詳細な説明】
【技術分野】
【０００１】
本発明は、ＤＶＤ（Digital  Versatile Disc）プレーヤなどのディスク再生装置に関し、特に、未ファイナライズディスクの再生が可能なディスク再生装置に関する。
【背景技術】
【０００２】
周知のように、ＤＶＤレコーダによりＤＶＤ−Ｒ（Recordable）、ＤＶＤ＋Ｒ（Recordable）、ＤＶＤ−ＲＷ（Rewritable）のような書込み可能なディスクに情報の記録を行った場合、ファイナライズ処理（記録完結処理）を行う必要がある。ファイナライズ処理によって、これらのディスクは、所定領域に必要な情報が記録されてＤＶＤ−ＲＯＭと互換性のある状態となり、どのＤＶＤプレーヤにおいても再生が可能となる。ファイナライズ処理を行わなかった場合は、ＤＶＤプレーヤでディスクを再生しようとしても、ドライブが暴走したり、所定回数リトライ動作が行われた後に「Ｎｏ  Ｄｉｓｃ」や「Ｂａｄ  Ｄｉｓｃ」などの表示がされてエラーとなり、正常な再生が行われない。また、リトライ動作中は、トレイからディスクを取り出せなくなる可能性があり、ユーザに不安や不快感を与えることもある。
【０００３】
一方、ファイナライズ処理を行えば、ＤＶＤプレーヤで正常なディスク再生ができるが、いったんファイナライズ処理がされてしまうと、ディスクに対して追記や編集ができなくなる。こうしたことから、未ファイナライズディスクについて、ファイナライズ処理をしなくてもＤＶＤプレーヤで再生ができれば、ユーザーにとって便利である。そこで、後掲の特許文献１〜３では、未ファイナライズディスクを再生するための種々の方法が提案されている。
【０００４】
特許文献１では、ファイナライズ処理が施されていないと判別されたディスクからナビゲーションデータを有するＲＺｏｎｅ（トラック）を検出し、検出されたＲＺｏｎｅの位置情報をタイトルの開始位置を示す情報として保存し、タイトル再生開始位置として使用するようにしている。特許文献２では、スキップ制御を行う度にトラック番号と絶対時間を記憶し、これらに基づいてメモリ上に仮のＴＯＣ（Table of Contents）情報を作成することにより、通常のＴＯＣ情報が存在する場合と同様のスキップ動作が行えるようにしている。特許文献３では、プログラム領域の記録データ中に含まれるサブコードＱチャネルのデータ部分を利用して、ＴＯＣとほぼ同等のＴＯＣデータを作成し、これに基づいて未ファイナライズディスクの再生ができるようにしている。
【０００５】
【特許文献１】特開２００５−１２２８２１号公報
【特許文献２】特開２００３−３１７３８３号公報
【特許文献３】特開２００４−２３４７４５号公報
【発明の開示】
【発明が解決しようとする課題】
【０００６】
特許文献１〜３の方法によれば、未ファイナライズディスクについても、ファイナライズ処理を行うことなく、ディスク再生装置での再生が可能となるが、これらの方法においては、ディスク再生装置に未ファイナライズディスクが装填された後、ディスクから所定のディスク情報を読み取って、各文献に記載されているような処理を実行する必要があり、この処理が完了するまでの間はディスクの再生が行われない。このため、ディスクを装填してから再生までにかなりの時間がかかるという問題がある。また、同じディスクを繰り返し再生する場合も、装置側で毎回上記のような処理が行われるので、ユーザーにとっては再生の度に長い待ち時間を覚悟しなければならず、不便さを免れない。
【０００７】
本発明は、上述した課題を解決するものであって、その目的とするところは、未ファイナライズディスクを再生する際の再生開始までの時間を大幅に短縮することにある。
【課題を解決するための手段】
【０００８】
本発明に係るディスク再生システムは、ファイナライズ処理が完了していない未ファイナライズディスクから、所定のディスク情報を取得するディスク情報取得手段と、このディスク情報取得手段が取得したディスク情報を記憶する記憶媒体と、この記憶媒体が接続されるインターフェイスを備えたディスク再生装置とから構成される。ディスク再生装置は、インターフェイスに接続された記憶媒体からディスク情報を取得し、未ファイナライズディスクが装填された場合に、当該ディスクからディスク情報を読み取る処理を省略して、記憶媒体から取得したディスク情報に基づいて、未ファイナライズディスクの再生を行う。
【０００９】
このようにすれば、未ファイナライズディスクに対してファイナライズ処理を行わなくても、ディスク再生装置でディスクを正常に再生できるとともに、未ファイナライズディスクのディスク情報を予め取得して、ディスク再生装置に読み込ませておくことにより、未ファイナライズディスクが装填されると、直ちに再生を開始することができるので、ディスク装填から再生開始までの時間を大幅に短縮することができる。また、未ファイナライズディスクのディスク情報を一度記憶媒体に保存しておけば、以後は、このディスクを再生する場合に記憶媒体をディスク再生装置に装着することで、ディスク情報がディスク再生装置に読み込まれるので、ディスクを繰り返し再生する場合でも、その都度ディスクからディスク情報を読み取る必要がない。このため、再生までの待ち時間が短くなり、ユーザーからみて利便性の高いものとなる。
【００１０】
本発明の典型的な実施形態では、ディスク再生装置は、記憶媒体からディスク情報を取得すると、未ファイナライズディスクを再生するための特殊モードで再生準備処理を行う。通常であれば、再生準備において、ディスクを回転させてサーボを働かせ、物理的にディスクの種類を判別する処理（スピンアップ）が行われるが、本発明ではディスク情報からディスクの種類が予めわかっているので、ディスク種類判別のための処理は不要となる。
【００１１】
本発明の典型的な実施形態では、ディスク情報は、ディスクの種類、ディスクのサイズ、トラック情報、およびセッション情報を含む。トラック情報としては、例えばトラック数や開始／終了アドレスがあり、セッション情報としては、例えばセッション数や開始／終了アドレスがある。
【００１２】
本発明の典型的な実施形態では、ディスク情報取得手段は、ディスクドライブが内蔵または外付されたパーソナルコンピュータからなる。この場合、パーソナルコンピュータは、取得したディスク情報をテキスト形式のファイルとして出力する。これによると、既存のディスクドライブやパーソナルコンピュータを用いて、簡単にディスク情報を取得しファイルとして出力することができる。
【００１３】
また、本発明に係るディスク再生装置は、光ディスクに記録された情報を読み取って再生するディスク再生装置であって、ファイナライズ処理が完了していない未ファイナライズディスクのディスク情報が記憶されている記憶媒体が接続されるインターフェイスを備える。そして、このインターフェイスに接続された記憶媒体からディスク情報を取得し、未ファイナライズディスクが装填された場合に、当該ディスクからディスク情報を読み取る処理を省略して、記憶媒体から取得したディスク情報に基づいて、未ファイナライズディスクの再生を行う。
【発明の効果】
【００１４】
本発明によれば、未ファイナライズディスクのディスク情報を予め取得して記憶媒体に記憶し、このディスク情報を用いてディスクを再生するので、未ファイナライズディスクが装填されると直ちに再生を行うことが可能となり、これによって再生までの時間を大幅に短縮することができる。
【発明を実施するための最良の形態】
【００１５】
以下、本発明の実施形態につき図面を参照しながら説明する。
【００１６】
図１は、本発明に係る未ファイナライズディスクの再生システムと再生手順を示した図である。再生手順については、後で詳述することとして、まず再生システムの構成について説明する。
【００１７】
図１において、再生システムは、ファイナライズ処理が完了していない未ファイナライズディスク１から、所定のディスク情報を取得するパーソナルコンピュータ（以下、「ＰＣ」と表記する。）１００と、ＰＣ１００が取得したディスク情報を記憶するＵＳＢメモリ５０と、ＵＳＢメモリ５０が接続されるインターフェイス２５を備えたＤＶＤプレーヤ２００とから構成される。未ファイナライズディスク１は、例えば、ＤＶＤ−Ｒ、ＤＶＤ＋Ｒ、ＤＶＤ−ＲＷなどの光ディスクである。ＰＣ１００は、本発明におけるディスク情報取得手段の一実施形態を構成し、ＵＳＢメモリ５０は、本発明における記憶媒体の一実施形態を構成し、ＤＶＤプレーヤ２００は、本発明におけるディスク再生装置の一実施形態を構成する。
【００１８】
図２は、ＰＣ１００のブロック図を示している。図２では、図１と同一部分に同一符号を付してある。２は、ＤＶＤ−Ｒ、ＤＶＤ＋Ｒ、ＤＶＤ−ＲＷに対して記録再生が可能なディスクドライブである。このディスクドライブ２は、図１に示されるように、ＰＣ１００の本体に内蔵されているが、ＰＣ１００に外付されたものであってもよい。３は、ＵＳＢメモリ５０が接続されるＵＳＢインターフェイスであって、図１に示されるように、ＰＣ１００の本体に設けられている。４は、ハードディスクやメモリから構成される記憶部、５は、例えば液晶ディスプレイから構成される表示部、６はキーボードやマウスなどから構成される操作
部である。
【００１９】
図３は、ＤＶＤプレーヤ２００のブロック図を示している。図３では、図１と同一部分に同一符号を付してある。ＤＶＤプレーヤ２００は、フロントエンド１０とバックエンド２０とから構成されている。フロントエンド１０は、ディスク１に記録されているデータを読み出して再生するブロックである。バックエンド２０は、リモコン４０からの信号を受信して、フロントエンド１０にデータの読み出しを指令するとともに、フロントエンド１０から送られてくるデータを処理して、モニタ装置３０に映し出す映像を生成し、さらに装置全体の制御を行うブロックである。
【００２０】
フロントエンド１０において、１１はディスク１を回転させるためのスピンドルモータ、１２はディスク１に記録されているデータを光学的に読み出すための光ピックアップである。１３は同期検出／ＡＤ変換回路であって、光ピックアップ１２が読み出したデータを基準クロックに基づいて同期検出するとともに、アナログ信号からデジタル信号に変換する。１４は復調／誤り訂正回路であって、デジタル信号に変換されたデータを復調し、読み出されたデータの誤りを訂正する。１５はサーボ回路であって、スピンドルモータ１１の回転を制御するとともに、光ピックアップ１２のフォーカス動作およびトラッキング動作を制御する。１６はマイクロコンピュータ（以下、「マイコン」という。）であって、バックエンド２０からの指令信号を受信して、フロンドエンド１０のシステムを制御する。１７は、ＲＯＭやＲＡＭからなるメモリである。
【００２１】
バックエンド２０において、２１はデコーダであって、ＭＰＥＧ２方式により圧縮されたデジタル映像信号を伸張して、元のデジタル映像信号に復号するとともに、ＡＣ−３方式により圧縮されたデジタル音声信号を伸張して、元のデジタル音声信号に復号する。２２はエンコーダ／ＤＡ変換回路であって、復号されたデジタル音声信号をアナログ信号に変換するとともに、デジタル映像信号を所定の信号方式（ＮＴＳＣ方式など）に従った映像信号に符号化し、符号化された映像信号をアナログ映像信号に変換する。２３はＯＳＤ（On Screen Display）回路であって、エンコーダ／ＤＡ変換回路２２から出力される映像信号に、文字や画像を重畳して、モニタ３０に送出する。２４はＲＯＭやＲＡＭからなるメモリ、２５はＵＳＢメモリ５０が接続されるＵＳＢインターフェイスである。ＵＳＢインターフェイス２５は、図１で示したように、ＤＶＤプレーヤ２００の前面に設けられる。２６はリモコン受信部であって、リモコン４０から送信された赤外線信号のリモコン信号を受信し、所定の電気信号に変換する。２７はマイクロコンピュータ（以下、「マイコン」という。）であって、フロントエンド１０のマイコン１６に制御信号を送信し、また、マイコン１６から送信された信号を受信して、ＤＶＤプレーヤ２００のシステム全体を制御する。なお、図３では音声系のブロックの図示を省略してある。
【００２２】
図４は、４種類の光ディスク（ＤＶＤ−ＲＷ、ＤＶＤ−Ｒ、ＤＶＤ＋ＲＷ、ＤＶＤ＋Ｒ）のリードイン領域（Lead-in Zone）におけるデータ構造を示した図である。リードイン領域は、ディスクの内周側に設けられている。図４において、斜線の領域は、未ファイナライズディスクであっても制御データが記録される領域を示している。また、灰色の領域は、ファイナライズ処理が行われたとき（あるいは、マルチセッションの場合にセッションを閉じるとき）に、制御データが記録される領域を示している。
【００２３】
図４（ａ），（ｂ）のように、ＤＶＤ−ＲＷとＤＶＤ−Ｒのデータ構造は、基本的に同じである。ＰＣＡ（Power Calibration Area）は、光ビーム出力を調整するためにデータ記録前に試し記録を行う出力較正領域である。ＲＭＡ（Recording Management Area）は、トラック（ＲＺｏｎｅ）の数や開始／終了アドレスなどを表したＲＭＤと呼ばれるデータが記録される記録管理領域である。Control Data Zoneは、ディスクの種類、ディスクのサイズ、レイヤ情報（記録層の数）、ディスクの開始／終了アドレスなどが記録される領域である。なお、ＤＶＤ−ＲＷとＤＶＤ−Ｒの場合、このControl Data Zoneには、上記データがエンボスで記録されている。RW-Physical format Information Zone、R-Physical format Information Zone、およびExtra Border Zoneは、ファイナライズ処理が行われたときや、マルチセッションディスクの場合はセッションが閉じられたときに、Control Data Zoneのデータと、ＲＭＡにある最新データのそれぞれのコピーが記録される領域である。
【００２４】
図４（ｃ）は、ＤＶＤ＋ＲＷのデータ構造である。Inner  Disc Identificationは、トラック（フラグメント）の数や開始／終了アドレスなどを表したＤＣＢと呼ばれるデータが記録される領域である。Control Data Zoneについては、（ａ），（ｂ）の場合と同じである。ＤＶＤ＋ＲＷの場合は、規格上、ファイナライズ処理が行われない。したがって、ＤＶＤ＋ＲＷについては、本発明によらなくても、ＤＶＤプレーヤ２００での再生が可能である。
【００２５】
図４（ｄ）は、ＤＶＤ＋Ｒのデータ構造である。TOC  Zoneは、セッションの数や、セッションの開始／終了アドレスなど、セッションに関する情報が記録される領域である。Inner Disc Identificationについては、（ｃ）の場合と同じである。Control Data Zoneは、（ａ）〜（ｃ）の場合と同様、ディスクの種類、ディスクのサイズ、レイヤ情報（記録層の数）、ディスクの開始／終了アドレスなどが記録される領域であるが、ＤＶＤ＋Ｒの場合は、このControl Data Zoneのデータはエンボスではなく、ドライブによって記録される。
【００２６】
次に、図１のシステムにおいて、ディスク１が未ファイナライズディスクである場合の再生手順を説明する。図１では、右側のシステム構成図に付した丸付き数字は、各ステップＳ１〜Ｓ１４における丸付き数字と対応している。ステップＳ１〜Ｓ６は、ＰＣ１００で行われる処理を示しており、ステップＳ７〜Ｓ１４は、ＤＶＤプレーヤ２００で行われる処理を示している。
【００２７】
最初に、ＰＣ１００での処理を説明する。ステップＳ１では、ディスクドライブ２への未ファイナライズディスク１のマウントが行われる。ディスク１がマウントされると、ステップＳ２へ進んで、ディスクドライブ２により、ディスク１の読み取りが行われ、ディスク情報が取得される。ディスクドライブ２は、ＤＶＤ−Ｒ、ＤＶＤ＋Ｒ、ＤＶＤ−ＲＷの記録再生に対応したドライブであるため、ディスク１が未ファイナライズディスクであっても、記録されたディスク情報を読み取ることができる。
【００２８】
ステップＳ２で取得されるディスク情報は、以下のような情報である。ディスク１がＤＶＤ−ＲＷまたはＤＶＤ−Ｒであれば、図４の（ａ），（ｂ）におけるＲＭＡ（ＲＭＤ）のデータ（トラック情報）と、Control Data Zoneのデータ（ディスクの種類、サイズ、レイヤ情報、開始／終了アドレス等）が読み取られる。なお、ディスク１がマルチセッションディスクの場合は、セッションを閉じたときにExtra Border ZoneやR/RW-Physical
format Information Zoneにデータが記録されるので、これらのデータも取得される。また、ディスク１がＤＶＤ＋Ｒであれば、図４の（ｄ）におけるInner Disc Identificationのデータ（トラック情報）と、Control Data Zoneのデータ（ディスクの種類、サイズ、レイヤ情報、開始／終了アドレス等）が読み取られる。
【００２９】
ディスク情報の読み取りが終了すると、ステップＳ３で、取得したディスク情報を、ディスクドライブ２に設けられているバッファ（図示省略）に保存する。次に、ステップＳ４に進み、保存したディスク情報から必要な制御データを抽出する。このとき、ＣＰＵ７がＡＴＡＰＩ（Advanced Technology Attachment Packet Interface）規格に準拠したコマンドを発行し、トラック数、セッション数、開始／終了アドレスなどの制御データを抽出する。ＰＣ１００の記憶部４（図２）には、この処理を実行するためのソフトウェアが格納されている。
【００３０】
続いて、ステップＳ５において、ステップＳ４で取得した制御データを、テキスト形式のファイルとして出力する。図５は、この出力ファイルのフォーマットの例を示している。出力ファイルには、ファイル識別子、ディスクタイプ、ディスクサイズ、レイヤ情報、セッション情報、トラック情報、ディスクステータスが記録されている。出力されたファイルは、ステップＳ６において、記憶媒体であるＵＳＢメモリ５０に格納される。
【００３１】
次に、ＤＶＤプレーヤ２００での処理を説明する。ステップＳ７では、ＤＶＤプレーヤ２００のＵＳＢインターフェイス２５に、ＵＳＢメモリ５０が接続される。すると、ステップＳ８へ進んで、バックエンド２０（図３）で、ＵＳＢメモリ５０に格納されているテキストファイルの読み込みが行われる。続くステップＳ９では、マイコン２７がファイルに記録されている識別子を判別し、識別子が“ＤＩＳＣ_ＩＮＦＯ_ＴＸＴ”（図５）と一致しなければエラーとして処理を行い、一致すればファイルからディスク情報を取得する。バックエンド２０のメモリ２４には、ステップＳ８、Ｓ９の処理を実行するためのソフトウェアが格納されている。
【００３２】
その後、ステップＳ１０へ進み、バックエンド２０からフロントエンド１０へ、取得したディスク情報が通知される。この場合、バックエンド２０では、ＡＴＡＰＩ規格で認められているベンダユニークコマンド（メーカーが独自に作成したコマンド）を使用して、フロントエンド１０へディスク情報を送る。フロントエンド１０は、バックエンド２０からベンダユニークコマンドを受信すると、ステップＳ１１において、未ファイナライズディスクを再生するための特殊モードで起動して再生準備処理を行う。すなわち、この時点ではディスクの種類やサイズなどがディスク情報からわかっているので、それに応じてサーボ回路１５を働かせて光ピックアップ１２の位置調整などの処理を実行する。通常であれば、再生準備処理において、ディスクの種類を判別するためのスピンアップが行われるが、本発明ではディスクの種類を判別するための処理は不要となる。フロントエンド１０は、ステップＳ１２において、バックエンド２０から取得したディスク情報を、メモリ１７の所定領域に保存する。
【００３３】
次に、ステップＳ１３において、ディスク１のマウント処理が行われる。通常であれば、この時点でステップＳ２で取得したようなディスク情報が読み取られるが、本発明では、ディスク情報はすでに取得済であるため、ディスク１からディスク情報を読み取る処理は省略される。また、通常であれば、ＤＶＤプレーヤ２００に未ファイナライズディスクが装填されると、先述のように、ドライブが暴走したりエラー処理がされたりするが、本発明では、未ファイナライズディスクのディスク情報はディスクとは別のルートで取得され、ディスク自体からは読み取られないので、ドライブの暴走やエラーは発生しない。
【００３４】
ステップＳ１３でマウントが終了すると、ステップＳ１４へ移行して、ディスク１の再生が行われる。通常であれば、再生前に、ディスク情報を取得するためのＡＴＡＰＩコマンドをバックエンド２０で発行する処理が必要となるが、本発明ではこれは不要であり、ステップＳ９で取得したディスク情報（トラック情報、セッション情報等）に基づいて、すぐに再生を開始することができる。
【００３５】
このようにして、上述した実施形態によれば、未ファイナライズディスク１に対してファイナライズ処理を行わなくても、ＤＶＤプレーヤ２００でディスク１を正常に再生できるとともに、未ファイナライズディスク１のディスク情報を予め取得して、ＤＶＤプレーヤ２００に読み込ませておくことにより、未ファイナライズディスク１が装填されると、直ちに再生を開始することができる。このため、ディスク装填から再生開始までの時間（通常、１０〜２０秒程度かかる）を大幅に短縮することができる。また、未ファイナライズディスク１のディスク情報を一度ＵＳＢメモリ５０に保存しておけば、以後は、このディスク１を再生する場合にＵＳＢメモリ５０をＤＶＤプレーヤ２００に装着することで、ディスク情報がＤＶＤプレーヤ２００に読み込まれるので、ディスク１を繰り返し再生する場合でも、その都度ディスク１からディスク情報を読み取る必要がない。このため、再生までの待ち時間が短くなり、ユーザーからみて利便性の高いものとなる。
【００３６】
また、ディスク情報の取得手段として、ディスクドライブ２が内蔵または外付されたＰＣ１００を用い、取得したディスク情報をテキスト形式のファイルとして出力するようにしたので、既存のディスクドライブやＰＣを用いて、簡単にディスク情報を取得しファイルとして出力することができる。
【００３７】
本発明では、上述した以外にも種々の実施形態を採用することができる。例えば、上記実施形態では、ＰＣ１００を利用して未ファイナライズディスク１のディスク情報を取得するようにしたが、ＤＶＤプレーヤ２００と同じメーカーのＤＶＤレコーダを利用して未ファイナライズディスク１のディスク情報を取得するようにしてもよい。この場合、ＤＶＤレコーダにファイル出力の機能がなければ、リモコン操作によりディスク情報取得モードにして、ディスク情報をモニタにＯＳＤで表示させ、それをみて手作業でファイルを作成することも可能である。
【００３８】
また、上記実施形態では、ディスク情報を記憶するための記憶媒体として、ＵＳＢメモリ５０を例に挙げたが、ＵＳＢメモリに代えて、光ディスクや磁気ディスクを用いてもよい。
【図面の簡単な説明】
【００３９】
【図１】本発明に係るディスク再生システムと再生手順を示した図である。
【図２】ＰＣのブロック図である。
【図３】ＤＶＤプレーヤのブロック図である。
【図４】４種類の光ディスクのリードイン領域におけるデータ構造を示した図である。
【図５】出力ファイルのフォーマットの例を示した図である。
【符号の説明】
【００４０】
１    ディスク（未ファイナライズディスク）
２    ディスクドライブ
１０  フロントエンド
２０  バックエンド
２５  ＵＳＢインターフェイス
５０  ＵＳＢメモリ
１００  パーソナルコンピュータ
２００  ＤＶＤプレーヤ
【図１】
2008310873.tif 000003
【図２】
2008310873.tif 000004
【図３】
2008310873.tif 000005
【図４】
2008310873.tif 000006
【図５】
2008310873.tif 000007